【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
患者に対するカテーテル画像化プローブであって、
内部を通ってエネルギーが伝えられる導管と、
内部を導管が延びる第１部と、
導管に対して動き、導管からのエネルギーの向きを変える第２部を具えたプローブ。
【請求項２】
第１部は、内部を流体が流れる入口チューブを有し、第２部は入口チューブから流れる流体によって動かされる、請求項１に記載のプローブ。
【請求項３】
第２部は、内部を導管が延びるロータと、ロータを含むカプセルを具え、ロータとカプセルの内面はロータの周りに延びる流路を形成して、流路に沿って流れる流体を案内し、流体によって供給される反動力によってロータを導管の周りに回転させる、請求項２に記載のプローブ。
【請求項４】
第２部はタービンを具え、該タービンはロータと流れる流体によって回転されるカプセルを有する、請求項３に記載のプローブ。
【請求項５】
ロータは内部を導管が延びる回転中心シャフト、及び該回転中心シャフトから延びた螺旋状内部溝を具え、螺旋状内部溝は流れる流体が溝に対して流れるときに、回転中心シャフトに回転トルクを付与し、回転トルクは回転中心シャフトを導管の周りに回転させる、請求項４に記載のプローブ。
【請求項６】
第２部は、回転中心シャフトに取り付けられて導管からのエネルギーの方向を変える１又は２以上の光学的方向転換要素を有する、請求項５に記載のプローブ。
【請求項７】
導管は放射波のガイドである、請求項６に記載のプローブ。
【請求項８】
放射波のガイドは、光ファイバーである、請求項７に記載のプローブ。
【請求項９】
光学的方向転換要素は、導管からの光を反射するプリズムを含み、該プリズムは回転中心シャフトとともに回転する、請求項８に記載のプローブ。
【請求項１０】
タービンは、カプセルから延び、回転中心シャフトを支持するノブを有し、それによって、シャフトをグラつかせることなく回転させる、請求項９に記載のプローブ。
【請求項１１】
第１の導管は、第２部からの流体が内部を流れる少なくとも１つの出口チューブを有する、請求項１０に記載のプローブ。
【請求項１２】
第２部は、エネルギーが透過する部分を少なくとも有し、カプセルを包み第１部に接するカバーを具え、出口チューブ以外に第２部から流体が脱出しない、請求項１１に記載のプローブ。
【請求項１３】
カプセルは、第１部に取り付けられるシリンダを形成し、第１部からノブが延び、カプセルは入口チューブからの流体が内部を流れる室を形成し、タービンは室内に配備される、請求項１２に記載のプローブ。
【請求項１４】
第２部は、エネルギーを再編成(reshape)する１又は２以上の合焦要素を有する、請求項１３に記載のプローブ。
【請求項１５】
合焦させる要素は、レンズ、ミラー、レンズ／ミラーの組み合わせ、プリズム、及び液晶からなるグループから選択される、請求項１４に記載のプローブ。
【請求項１６】
入口チューブに接続された流体源を有する、請求項１５に記載のプローブ。
【請求項１７】
流体源は、ポンプを有し、該ポンプは流体源からの流体を送り込む、請求項１６に記載のプローブ。
【請求項１８】
流体源の流体は、ニトロゲン、ヘリウム、二酸化炭素、生理食塩水、水、Ｄ５Ｗ、リンガー乳酸、又は人工血液から構成されるグループから選択される、請求項１７に記載のプローブ。
【請求項１９】
第２部は、タービンから延びる突起を有する、請求項１８に記載のプローブ。
【請求項２０】
第１部は、突起にエネルギーを向けるように並べられた第２放射エネルギーガイドを有し、第２放射エネルギーガイドの先端部が突起と一直線上になったときにのみ、突起は第２放射エネルギーガイドにエネルギーを反射する、請求項１９に記載のプローブ。
【請求項２１】
患者を画像化する方法であって、
カテーテルを患者内に挿入する工程と、
カテーテルの第１部を通って延びる導管に対して、カテーテルの第２部を回転させ、第１部は導管を通って患者に伝えられるエネルギーの向きを変え、患者から第２部に反射されて戻されるエネルギーを受け、反射されたエネルギーを導管に再び向ける工程を有する方法。
【請求項２２】
回転させる工程は、流体を第２部の入口チューブを通って流して、第２部を回転させる工程を有する、請求項２１に記載の方法。
【請求項２３】
流す工程は、流体を内側チューブを通って流して、第２部のロータを回転させる工程を有する、請求項２２に記載の方法。
【請求項２４】
流す工程は、ロータの回転中心シャフトから延びて回転中心シャフトに回転トルクを生じさせる螺旋状に形成された内側溝に対して流体を流す工程を有し、回転トルクにより、回転中心シャフトは回転中心シャフトを通って延びる導管の回りを回転する、請求項２３に記載の方法。
【請求項２５】
第２部は、回転中心シャフトに取り付けられて、導管からのエネルギーを再び向ける反射材を有する、請求項２４に記載の方法。
【請求項２６】
導管は、放射波のガイドである、請求項２５に記載の方法。
【請求項２７】
放射波のガイドは、光ファイバーである、請求項２５に記載の方法。
【請求項２８】
反射材は、導管からの光を反射するプリズムを具え、流体を流すことによって回転中心シャフトが回転するときに、該プリズムを回転中心シャフトとともに回転させる工程を有する、請求項２７に記載の方法。
【請求項２９】
回転させる工程は、ロータを有するシリンダに配備された複数のノブによって支持される中心シャフトを回転させる工程を有する、請求項２８に記載の方法。
【請求項３０】
流す工程は、シリンダの室を通って入口チューブから流体を流す工程を有する、請求項２９に記載の方法。
【請求項３１】
流す工程は、第１部を通って延びる少なくとも１つの出口チューブを通って、第２部のシリンダから流れる流体を除去する工程を有する、請求項３０に記載の方法。
【請求項３２】
第１部は、突起にエネルギーを向けるように並べられた第２放射エネルギーガイドを有し、第２放射エネルギーガイドの先端部が突起と一直線上になったときにのみ、突起は第２放射エネルギーガイドにエネルギーを反射する、請求項３１に記載の方法。
【請求項３３】
第２部の角度位置は第２放射エネルギーガイドによってエネルギーガイドされることにより監視される、請求項３２に記載の方法。
【請求項３４】
第２部の回転方向と回転速度は、入口と出口の圧力差によって制御される、請求項３１に記載の方法。
【請求項３５】
第２部は、ロータとカプセルを有するミルを具える、請求項３に記載のプローブ。
【請求項３６】
ロータは車輪を有する、請求項３５に記載のプローブ。
【請求項３７】
カプセルは車輪を保持する、請求項３６に記載のプローブ。
【請求項３８】
導管は、放射波のガイドである、請求項３７に記載のプローブ。
【請求項３９】
放射波のガイドは光ファイバーである、請求項３８に記載のプローブ。
【請求項４０】
車輪は、プラグ、及びプラグから半径方向に延びるフィンを具え、フィンは流体に押されて、プラグを回転させる、請求項３９に記載のプローブ。
【請求項４１】
カプセルは、入口ポートと出口ポートを有する、請求項４０に記載のプローブ。
【請求項４２】
第２部は、プラグに取り付けられて光ファイバーからのエネルギーを再び向ける、請求項４１に記載のプローブ。
【請求項４３】
反射材は、光ファイバーからの光を反射するプリズムを有し、プリズムはプラグとともに回転する、請求項４２に記載のプローブ。
【請求項４４】
カプセルは第１ポケット及び第２ポケットを有して、両ポケットの夫々内にプラグの第１端部と第２端部が配備され、第１ポケット及び第２ポケットはプラグ回転時には、プラグをカプセルの所定位置に維持する、請求項４３に記載のプローブ。
【請求項４５】
第２部は、エネルギーが透過する部分を少なくとも有し、カプセルを包み第１部に接するカバーを具え、出口チューブ以外に第２部から流体が脱出しない、請求項４４に記載のプローブ。
【請求項４６】
流体源は、入口チューブに接続された、請求項４５に記載のプローブ。
【請求項４７】
流体源の流体は、ニトロゲン、ヘリウム、生理食塩水、二酸化炭素、Ｄ５Ｗ、リンガー乳酸、水又は人工血液から構成されるグループから選択される、請求項４６に記載のプローブ。
【請求項４８】
流す工程は、入口チューブを通って流体を流して、第２部のミルのロータを回転させる工程を有する、請求項２１に記載の方法。
【請求項４９】
流す工程は、車輪の回転プラグから延びるフィンに対して流体を流し、車輪をプラグを通って延びる導管の周りに回転させる工程を含む、請求項４８に記載の方法。
【請求項５０】
第２部は、プラグに取り付けられて、導管からのエネルギーの向きを変える反射材を有する、請求項４９に記載の方法。
【請求項５１】
導管は、光ファイバーである、請求項５０に記載の方法。
【請求項５２】
反射材は、光ファイバーからの光を反射するプリズムを有し、流体が流れることにより、車輪が回転すると、プリズムをプラグとともに回転させる工程を含む、請求項５１に記載の方法。
【請求項５３】
回転させる工程は、ミルのカプセルのポケット内に配備された車輪を回転させる工程を有し、ミル内に車輪が配備される、請求項５２に記載の方法。
【請求項５４】
流す工程は、入口チューブから入口ポートを通って、カプセル内に流す工程を含む、請求項５３に記載の方法。
【請求項５５】
第２部のカプセルの出口ポートから流れる流体を、第１部を通って延びる少なくとも１つの出口チューブを通って除去する工程を含み、回転流路がカプセルを通る流体について形成され、カプセルは、流体がフィンに対して流れると、車輪を回転させる、請求項５４に記載の方法。
【請求項５６】
第１部は、突起にエネルギーを向けるように並べられた第２放射エネルギーガイドを有し、第２放射エネルギーガイドの先端部が突起と一直線上になったときにのみ、突起は第２放射エネルギーガイドにエネルギーを反射して戻す、請求項５５に記載の方法。
【請求項５７】
第２部の角度位置は、第２放射エネルギーガイドによってエネルギーガイドされることにより監視される、請求項５６に記載の方法。
【請求項５８】
第２部の回転方向と回転速度は、入口と出口の圧力差によって制御される、請求項５５に記載の方法。
【請求項５９】
第２部はナノロータ、ナノステータ、媒体材にて形成される媒体構造を有するナノモータであり、第１部は駆動エネルギーが経由して媒体構造に伝えられる駆動エネルギーラインを有し、それによってナノステータとナノロータ間で駆動エネルギーを反作用力に変換することによって、媒体構造は第２部を作動し、第２部はナノロータに取り付けられた反射材を有し、それによって導管からのエネルギーの向きを変え、導管は放射波のガイドである、請求項１に記載のプローブ。
【請求項６０】
媒体材は反作用力を付与する浸透圧を有する駆動エネルギーによって動かされる(induced)、請求項５１に記載のプローブ。
【請求項６１】
媒体材は、電極を有し、駆動エネルギーは電気エネルギーである、請求項５２に記載のプローブ。
【請求項６２】
媒体材は、反作用力を付与する表面張力を有する駆動エネルギーによって動かされる、請求項５１に記載のプローブ。
【請求項６３】
媒体材は水を含み、駆動エネルギーは熱を生成する放射波エネルギーである、請求項５４に記載のプローブ。
【請求項６４】
媒体材は水を含み、駆動エネルギーは熱を生成する電気エネルギーである、請求項５４に記載のプローブ。
【請求項６５】
媒体材は反作用力を付与する磁界の変化を有する駆動エネルギーによって動かされる、請求項５１に記載のプローブ。
【請求項６６】
媒体材は導電性コイルを含み、駆動エネルギーは電気エネルギーである、請求項５７に記載のプローブ。